(57)【要約】【課題】引き出し自在の棚を備えたショーケースにおいて、支障無く冷気の漏洩及び外気の侵入を防止若しくは抑制することができるようにする。【解決手段】前面が開口する陳列室８内に棚１２を備えた低温ショーケースＳにおいて、陳列室の開口を開閉自在に閉塞する観音開き式の透明扉３１と、開口の上縁及び下縁から突出して設けられた取付部材３３、３４と、この取付部材に取り付けられ、透明扉の側縁部を回動自在に枢支するヒンジ装置３２を備え、棚は陳列室の開口より前方に引き出し自在とされており、透明扉は、開放された状態で棚が引き出される領域よりも外側に位置する。【選択図】図１
2015146862.tif 000002
【特許請求の範囲】
【請求項１】
前面が開口する陳列室内に商品陳列用の棚を備えたショーケースにおいて、
前記陳列室の開口を開閉自在に閉塞する観音開き式の透明扉と、
前記開口の上縁及び下縁から突出して設けられた取付部材と、
該取付部材に取り付けられ、前記透明扉の側縁部を回動自在に枢支するヒンジ装置とを備え、
前記棚は前記陳列室の開口より前方に引き出し自在とされており、
前記透明扉は、開放された状態で前記棚が引き出される領域よりも外側に位置することを特徴とするショーケース。
【請求項２】
前記ヒンジ装置を、前記棚が引き出される領域外に配置したことを特徴とする請求項１に記載のショーケース。
【請求項３】
前記ヒンジ装置は、前記透明扉の開度が９０度未満の場合は閉じる方向に、９０度より大きい場合は開く方向に、当該透明扉を回動させることを特徴とする請求項１又は請求項２に記載のショーケース。
【請求項４】
断面略コ字状の断熱壁と、該断熱壁の側面に取り付けられる側板とから構成され、前記断熱壁内を仕切板にて仕切ることにより、前記陳列室とダクトを形成し、該ダクト内に配設した冷却器により冷却された冷気を前記開口上縁の冷気吐出口から吐出し、開口下縁の冷気吸込口から吸い込むことで、前記開口に冷気エアーカーテンを形成するオープンショーケースの前記冷気吐出口及び冷気吸込口より前側に前記透明扉を取り付けたことを特徴とする請求項１乃至請求項３のうちの何れかに記載のショーケース。
【発明の詳細な説明】
【技術分野】
【０００１】
本発明は、前面が開口する陳列室内に棚を架設し、商品を陳列するショーケースであって、特に、棚が開口より前方に引き出し自在とされたものに関する。
【背景技術】
【０００２】
従来よりこの種オープンショーケースでは、前面が開口する陳列室が断熱壁の内部に構成されており、この陳列室内には商品を陳列するための棚が複数段架設されている。また、陳列室内の底部にはデッキパンと称される板が取り付けられており、商品の補充作業を容易とするために、これら棚やデッキパンは開口より前方に引き出し自在とされていた（例えば、特許文献１参照）。
【先行技術文献】
【特許文献】
【０００３】
【特許文献１】特開２０１２−１６１３４５号公報
【発明の概要】
【発明が解決しようとする課題】
【０００４】
このようなオープンショーケースでは、陳列室の前面が開口しているために顧客による商品の取り出しが容易であり、商品販売上の効果が極めて高いものであるが、陳列室からの冷気漏洩が著しい。これを防止するために開口には通常冷気エアーカーテンが形成しているが、冷気の漏洩と外気の侵入は避けがたく、冷却効果の低下と消費電力の増加が否めない。
【０００５】
そこで、前記特許文献１ではオープンショーケースの開口に扉を取り付ける構成としていた。扉を取り付けて開口を開閉自在とすることで、冷気の漏洩や外気の侵入を防止若しくは低減することができる。しかしながら、扉を取り付けると今度は棚を引き出せなくなるという問題が生じる。
【０００６】
本発明は、係る従来の技術的課題を解決するために成されたものであり、引き出し自在の棚を備えたショーケースにおいて、支障無く冷気の漏洩及び外気の侵入を防止若しくは抑制することができるようにすることを目的とする。
【課題を解決するための手段】
【０００７】
上記課題を解決するために、本発明は前面が開口する陳列室内に商品陳列用の棚を備えたショーケースにおいて、陳列室の開口を開閉自在に閉塞する観音開き式の透明扉と、開口の上縁及び下縁から突出して設けられた取付部材と、この取付部材に取り付けられ、透明扉の側縁部を回動自在に枢支するヒンジ装置とを備え、棚は陳列室の開口より前方に引き出し自在とされており、透明扉は、開放された状態で棚が引き出される領域よりも外側に位置することを特徴とする。
【０００８】
請求項２の発明のショーケースは、上記発明においてヒンジ装置を、棚が引き出される領域外に配置したことを特徴とする。
【０００９】
請求項３の発明のショーケースは、上記各発明においてヒンジ装置は、透明扉の開度が９０度未満の場合は閉じる方向に、９０度より大きい場合は開く方向に、当該透明扉を回動させることを特徴とする。
【００１０】
請求項４の発明のショーケースは、上記各発明において断面略コ字状の断熱壁と、この断熱壁の側面に取り付けられる側板とから構成され、断熱壁内を仕切板にて仕切ることにより、陳列室とダクトを形成し、このダクト内に配設した冷却器により冷却された冷気を開口上縁の冷気吐出口から吐出し、開口下縁の冷気吸込口から吸い込むことで、開口に冷気エアーカーテンを形成するオープンショーケースの冷気吐出口及び冷気吸込口より前側に透明扉を取り付けたことを特徴とする。
【発明の効果】
【００１１】
本発明によれば、前面が開口する陳列室内に商品陳列用の棚を備えたショーケースにおいて、陳列室の開口を開閉自在に閉塞する観音開き式の透明扉と、開口の上縁及び下縁から突出して設けられた取付部材と、この取付部材に取り付けられ、透明扉の側縁部を回動自在に枢支するヒンジ装置とを備えているので、請求項４の発明の如く断面略コ字状の断熱壁と、この断熱壁の側面に取り付けられる側板とから構成され、断熱壁内を仕切板にて仕切ることにより、陳列室とダクトを形成し、このダクト内に配設した冷却器により冷却された冷気を開口上縁の冷気吐出口から吐出し、開口下縁の冷気吸込口から吸い込むことで、開口に冷気エアーカーテンを形成するオープンショーケースの冷気吐出口及び冷気吸込口より前側に透明扉を取り付けることにより、オープンショーケースでは宿命であった冷気の漏洩や外気の侵入を防止若しくは抑制することができるようになる。
【００１２】
この場合、開口の上縁及び下縁から突出する取付部材を設け、この取付部材に取り付けられたヒンジ装置により、透明扉の側縁部を回動自在に枢支するようにしているので、オープンショーケースに改造を施すこと無く、取付部材の取り付けのみで、請求項４の発明の如きオープンショーケースを透明扉付きのショーケースに変更することが可能となる。
【００１３】
特に、棚が陳列室の開口より前方に引き出し自在とされていても、透明扉は開放された状態で棚が引き出される領域よりも外側に位置する構成としたので、透明扉を開放することで、棚を支障無く開口より前方に引き出すことができる。これにより、透明扉があることで、棚上への商品補充作業が悪化する不都合も回避することができるものである。
【００１４】
この場合、請求項２の発明の如くヒンジ装置を、棚が引き出される領域外に配置すれば、ヒンジ装置が棚の引き出しに干渉することも無くなり、棚の幅を縮小しなければならなくなる不都合も解消される。
【００１５】
また、請求項３の発明の如くヒンジ装置が、透明扉の開度が９０度未満の場合は閉じる方向に、９０度より大きい場合は開く方向に、当該透明扉を回動させるようにすれば、顧客が商品取り出しのために透明扉を開放したときに、透明扉が開放されたまま放置される不都合が解消されると共に、棚上への商品補充時には、透明扉を９０度より大きく開放することで、開いた状態が維持されるので、作業性が著しく向上する。
【図面の簡単な説明】
【００１６】
【図１】本発明を適用した実施例の低温ショーケースの縦断側面図である。
【図２】図１の低温ショーケースの正面図である。
【図３】図１の低温ショーケースの開口上縁部の拡大断面図である。
【図４】図１の低温ショーケースの開口下縁部の拡大断面図である。
【図５】図１の低温ショーケースの扉装置下部の拡大正面図である。
【図６】図１の低温ショーケースの扉装置部分の平断面図である。
【図７】図１の低温ショーケースの扉装置を閉じた状態の棚と扉装置の関係を示す図である。
【図８】図１の低温ショーケースの扉装置を開いた状態の棚と扉装置の関係を示す図である。
【発明を実施するための形態】
【００１７】
以下、本発明の実施の形態について、詳細に説明する。図１は本発明を適用したショーケースの一実施例としての低温ショーケース１の縦断側面図、図２はその正面図を示している。実施例の低温ショーケースＳは、所謂縦型のオープンショーケース１に、観音開き式の扉装置Ｄ（ｈｉｎｇｅｄ  ｄｏｕｂｌｅ  ｄｏｏｒｓ）を取り付けたものであり、コンビニエンスストアやスーパーマーケット等の店舗内に据え付けられる。
【００１８】
低温ショーケースＳを構成するオープンショーケース１は、前面が開口する断面略コ字状の断熱壁２と、据え付け現場において断熱壁２の側面に取り付けられる断熱性の側板５とから構成されている。ショーケース１の断熱壁２の内側には間隔を存して仕切板４が取り付けられ、仕切板４と断熱壁２の間にダクト６が形成されている。
【００１９】
仕切板４下端には底板７が連続して取り付けられており、これら仕切板４及び底板７の内側を前面が開口（１４）する陳列室８としている。また、陳列室８内には背部の支柱に着脱自在に取り付けられる一対のブラケット１１及びこれらに保持された棚１２が複数段架設されている。更に、底板７上にはデッキパン１３が取り付けられ、これら棚１２及びデッキパン１３上に商品が陳列される構成とされている。
【００２０】
更に、棚１２及びデッキパン１３は図１に一点鎖線で示すように前方に引き出し自在とされており、棚１２やデッキパン１３上に商品を補充する際には、開口１４より前方に引き出して作業を行うことができるように構成されている。尚、デッキパン１３が前方に引き出される際には、デッキパン１３は陳列室８の開口１４の下縁より少許上側を通過して引き出される。
【００２１】
断熱壁２の前面開口（陳列室８の開口１４）の上縁には、冷気吐出口１７が形成されており、この冷気吐出口１７は、ダクト６に連通している。また、断熱壁２の前面開口（陳列室８の開口１４）の下縁内側には、冷気吸込口１８が形成されてダクト６に連通している。また、仕切板４後側のダクト６内には、冷却装置の冷却器２１が配設されており、底板７の下方のダクト６内には、送風機１９が設置されている。
【００２２】
送風機１９が運転されると冷却器２１と熱交換した冷気がダクト６内を上昇し、冷気吐出口１７より開口１４に向けて吐出される。開口１４に吐出された冷気は冷気吸込口１８より吸い込まれるので、これにより、開口１４には冷気エアーカーテンが形成され、この冷気エアーカーテンの一部が陳列室８内に循環される。尚、仕切板４には図示しない冷気吹出口が形成されており、冷気エアーカーテンの一部とこれら冷気吹出口から吹き出される冷気によって陳列室８内は所定温度に冷却される。
【００２３】
断熱壁２の天壁２Ｂ前端にはキャノピー２２が前方に突出して開口１４の全幅に渡って取り付けられ、断熱壁２の一部を構成する。このキャノピー２２の内側には照明灯２３が設けられて陳列室８内を照明する。キャノピー２２の前側には上パネル２４が取り付けられており、この上パネル２４には陳列室８内の温度を表示するための温度計２６が取り付けられている。
【００２４】
一方、断熱壁２の下側前壁２Ｃには、冷気吸込口１８の前側に位置してハンドレール２７が取り付けられて断熱壁２の一部となり、開口１４の下縁を構成している。以上がオープンショーケース１の構成である。
【００２５】
次に、実施例の観音開き式の扉装置Ｄは、何れも透明板ガラスから成る一対の透明扉３１、３１と、これら透明扉３１、３１を回動自在に枢支するヒンジ装置３２と、ヒンジ装置３２を断熱壁２に取り付けるための取付部材３３、３４等から構成される。実施例では扉装置Ｄがオープンショーケース１の開口１４に左右に二組取り付けられる。
【００２６】
この場合、開口１４の上縁に位置するキャノピー２２の左右端（左右の側板５、５の内側）には左右端の取付部材３３が下方に突出して取り付けられ、左右方向の中央部にも中央の取付部材３３が下方に突出して取り付けられている。また、各取付部材３３の下方に対応する位置の開口１４の下縁には、左右端と中央の取付部材３４が取り付けられ、それぞれ上方に突出している。そして、左右の扉装置Ｄ、Ｄは中央の取付部材３３、３４の左右に並設されるかたちとされている。尚、棚１２やデッキパン１３は各扉装置Ｄ、Ｄの後方にそれぞれ対応して設けられている。
【００２７】
ヒンジ装置３２は回動軸３６と、この回動軸３６に回動自在に取り付けられて透明扉３１の側縁部に取り付けられる第１の取付部３７と、回動軸３６に回動自在に取り付けられて取付部材３３、３４に取り付けられる第２の取付部３８とから成る。尚、ヒンジ装置３２は、扉装置Ｄの向かって右側の透明扉３１の向かって右側の側縁部の上下に取り付けられて当該透明扉３１を回動自在に枢支し、また、扉装置Ｄの向かって左側の透明扉３１の向かって左側の側縁部の上下に取り付けられて当該透明扉３１を回動自在に枢支することで、観音開き式とする。
【００２８】
また、ヒンジ装置３２はカム方式の自閉機構を有しており、透明扉３１の開度が９０度未満の場合には閉じる方向に、９０度より大きい場合には開く方向に重力で透明扉３１を回動させる機能を有している。尚、３９は透明扉３１の非枢支側に取り付けられた取っ手である。また、透明扉３１の外面には、指紋が付きににくい透明なフィルムが貼付されている。更に、上側の取付部材３３及びヒンジ装置３２は、最上段の棚１２より上側（最上段の棚１２が引き出される領域外）にあり、下側の取付部材３４及びヒンジ装置３２は、最下段の棚１２より下側（最下段の棚１２が引き出される領域外）に位置している。
【００２９】
以上の構成で、扉装置Ｄの透明扉３１、３１を閉じた状態（図１〜図５、図７）では、透明扉３１、３１は冷気吐出口１７及び冷気吸込口１８より前側に位置している。
【００３０】
次に、透明扉３１、３１を観音開き式に開放すると（図６）、図８に示すように透明扉３１はその全てが棚１２が引き出される領域よりも外側に位置する。このとき、ヒンジ装置３２の回動軸３６も棚１２が引き出される領域よりも外側に位置しているので、扉装置Ｄの左右の透明扉３１、３１を開放することで、棚１２は図８に示すように開口１４より前方に引き出すことができる。尚、デッキパン１３はこの実施例では取付部材３４及びヒンジ装置３２を避ける幅寸法としており、図１に示すように開口１４より前方に引き出すことができる。
【００３１】
以上詳述した如く、本発明では陳列室８の開口１４を開閉自在に閉塞する観音開き式の透明扉３１と、開口１４の上縁及び下縁から突出して設けられた取付部材３３、３４と、この取付部材３３、３４に取り付けられ、透明扉３１の側縁部を回動自在に枢支するヒンジ装置３２とを備えているので、実施例のように断面略コ字状の断熱壁２と、この断熱壁２の側面に取り付けられる側板５とから構成され、断熱壁２内を仕切板４にて仕切ることにより、陳列室８とダクト６を形成し、このダクト６内に配設した冷却器２１により冷却された冷気を開口上縁の冷気吐出口１７から吐出し、開口下縁の冷気吸込口１８から吸い込むことで、開口に冷気エアーカーテンを形成するオープンショーケース１の冷気吐出口１７及び冷気吸込口１８より前側に透明扉３１を取り付けることにより、オープンショーケース１では宿命であった冷気の漏洩や外気の侵入を防止若しくは抑制することができるようになる。
【００３２】
この場合、開口１４の上縁及び下縁から突出する取付部材３３、３４を設け、この取付部材３３、３４に取り付けられたヒンジ装置３２により、透明扉３１の側縁部を回動自在に枢支するようにしているので、オープンショーケース１に改造を施すこと無く、取付部材３３、３４の取り付けのみで、オープンショーケース１を透明扉付きの低温ショーケースＳに変更することが可能となる。
【００３３】
特に、棚１２は陳列室８の開口１４より前方に引き出し自在とされているが、透明扉３１は開放された状態で棚１２が引き出される領域よりも外側に位置する構成としたので、透明扉３１を開放することで、棚１２を支障無く開口１４より前方に引き出すことができる。これにより、透明扉３１があることで、棚１２上への商品補充作業が悪化する不都合も回避することができる。
【００３４】
この場合、ヒンジ装置３２を、棚１２が引き出される領域外に配置しているので、ヒンジ装置３２が棚１２の引き出しに干渉することも無くなり、棚１２の幅を縮小しなければならなくなる不都合も解消される。
【００３５】
また、ヒンジ装置３２は、透明扉３１の開度が９０度未満の場合は閉じる方向に、９０度より大きい場合は開く方向に、当該透明扉３１を回動させるので、顧客が商品取り出しのために透明扉３１を開放したときに、透明扉３１が開放されたまま放置される不都合が解消されると共に、棚１２上への商品補充時には、透明扉３１を９０度より大きく開放することで、開いた状態が維持されるので、作業性が著しく向上する（図６参照）。
【００３６】
尚、実施例では回動軸を一つ有するヒンジ装置を用いたが、所謂多軸式のヒンジ装置を用いて、開放時に透明扉３１を更に大きく棚１２が引き出される領域外に退避できるようにしてもよい。
【符号の説明】
【００３７】
Ｄ  扉装置
Ｓ  低温ショーケース
１  オープンショーケース
２  断熱壁
４  仕切板
６  ダクト
８  陳列室
１２  棚
１３  デッキパン
１４  開口
１７  冷気吐出口
１８  冷気吸込口
１９  送風機
２１  冷却器
２２  キャノピー
２４  上パネル
３１  透明扉
３２  ヒンジ装置
３３、３４  取付部材
３６  回動軸
３７  第１の取付部
３８  第２の取付部
【図１】
2015146862.tif 000003
【図２】
2015146862.tif 000004
【図３】
2015146862.tif 000005
【図４】
2015146862.tif 000006
【図５】
2015146862.tif 000007
【図６】
2015146862.tif 000008
【図７】
2015146862.tif 000009
【図８】
2015146862.tif 000010